(57)【特許請求の範囲】
【請求項１】
厚み部を有する基片の一端部に外覆片を係合して一側部にカード挿入口を設け、これら基片と外覆片のなす空間部内に弾力性のあるカード挟着片を、その一端部が前記基片に当接するよう外覆片に取付けてなるカードホルダーにおいて、
基片の、カード類を係止する基部の一部を他より軟質に形成し、
カード挟着片はゴムなどの弾性材料からなり、外覆片への取付部を断面直線状に形成し、取付部から足片を突設し、足片の端部から膨出して挟着部を設け、この挟着部の端部は、そのカード挿入口方向に傾斜を付け基片当接部となしたことを特徴とするカードホルダー。
【請求項２】
基片はカード類を係止する基部の端部から折曲した厚み部とから断面Ｌ字状に形成してあり、外覆片は前記基片の厚み部に係合する基片取付部と、該基片取付部から折曲して外覆表面部と、さらに、断面半円状の外覆先端部とから断面Ｊ字状に形成し、かつ、カード挟着片は外覆表面部の裏面に取付けてなることを特徴とする請求項１記載のカードホルダー。
【請求項３】
外覆片には基片の厚み部の内、外端部に係合する鉤状の基片係合部を突設してなることを特徴とする請求項１又は２記載のカードホルダー。
【請求項４】
基片当接部は先端部を段状に形成してあり、先端部は相互に互い違いの孤状凹凸状に形成してなることを特徴とする請求項１〜３のいずれかに記載のカードホルダー。
【発明の詳細な説明】
【０００１】
【発明の属する技術分野】
この発明は、店舗等の飾り棚、住居内の壁面あるいは自動車内その他においてメモ用紙、値段表等カード類を挟むのに使用するカードホルダーに関するものである。
【０００２】
【発明が解決しようとする課題】
従来、この種カードホルダーに関しては例えば図１０、図１１に示すように種々のものをみることができる。ところで、図１０に示すカードホルダーでは外装体の中に別個にローラーを挿入したものであり、又、図１１に示すカードホルダーは、偏平円盤状体の一周側部を開口し、その開口部からカードを挿入して挟持するものであった。しかしながら、これらの従来のカードホルダーは製作に手間やコスト要したり、挟持するカードの着脱が円滑に行かず、カードの厚みが限定されるものであったり、図１１に示す従来例のように車の室内等使用場所が限定され汎用性がないものが多かった。
【０００３】
この発明は前記事情に鑑み開発されたもので、挟持するカードの厚みが限定されることなしに着脱を円滑におこなうことができ、かつ、製作コストが安価であり、堅牢で、汎用性の高いカードホルダーを提供することを目的としている。
【０００４】
【課題を解決するための手段】
前記目的を達成するためにこの発明は、厚み部を有する基片の一端部に外覆片を係合して一側部にカード挿入口を設け、これら基片と外覆片のなす空間部内に弾力性のあるカード挟着片を、その一端部が前記基片に当接するよう外覆片に取付けてなるカードホルダーにおいて、
基片の、カード類を係止する基部の一部を他より軟質に形成し、
カード挟着片はゴムなどの弾性材料からなり、外覆片への取付部を断面直線状に形成し、取付部から足片を突設し、足片の端部から膨出して挟着部を設け、この挟着部の端部は、そのカード挿入口方向に傾斜を付け基片当接部となしたことを特徴とするものである。
【０００５】
【発明の実施の形態】
以下、図示した実施の形態例に基いて説明する。図１乃至図７は第１形態例の断面図を示すもので、符号１はこの発明のカードホルダーを示し、このカードホルダー１は硬質合成樹脂あるいはアルミニュウム等の金属製からなる基片２と、この基片２に一体的に嵌合され、硬質合成樹脂あるいはアルミニュウム等の金属製からなる外覆片３と、さらに、これら基片２及び外覆片３内に内包される弾性体からなる挟着片４とから構成され、適宜長さに切断し得る長尺物として形成されている。
【０００６】
基片２は硬質の合成樹脂製で断面略Ｌ字状に形成してあり、断面直線状の基部２ａの一端部から直角に折曲して厚み部２ｂを形成し、さらに、直角に折り返して先端を鉤状に折曲して鉤状先端部を外覆片係合部２ｃとなし、前記厚み部２ｂに寄った位置に断面台形状の凹部２ｄを設け、この凹部に内側方向に向く外覆片係合部２ｅとなしている。そして、前記基部２ａの先端部から中間部にかけてはその上面部分を他の部分より少し軟質の合成樹脂２ｆで形成してあり、この部分は他の部分より若干厚く形成してある。
【０００７】
外覆片３は硬質の合成樹脂製で断面略Ｊ字状に形成してあり、前記基片２の厚み部２ｂに対向する基片取付部３ａから直角に折曲して断面直線状の外覆表面部３ｂを形成し、この外覆表面部３ｂの端部から断面半円状の外覆先端部３ｃを形成したものである。そして、基片取付部３ａの内、外側寄り両端部にはそれぞれ外側方向に向く断面Ｌ字状の鉤状にした基片係合部３ｄ，３ｄを突設してあり、外覆表面部３ｂの裏面には基片取付部３ａ寄りに断面直線状のカード挟着片位置決め用の小突片３ｅを突設してあり、先端部寄りには断面Ｌ字状のカード挟着片位置決め用の小突片３ｆを突設してあり、さらに、外覆先端部３ｃの先端を内側に折曲してある。
【０００８】
カード挟着片４はクロロプレンゴムあるいはシリコンゴム等の弾性材料からなり、予め所要長さに形成し一定間隔に基片２と外覆片３がなす空間部内に取付けるものであり、中間部に小突起４ｂを設けた断面直線状の取付部４ａを形成し、前記小突起４ｂの反対側面位置から若干内側方向に傾斜して足片４ｃを突設し、この足片４ｃの先端部を膨出して挟着部４ｄを形成してある。挟着部４ｄは足片４ｃ寄りの基部を略断面台形状に形成し、さらに、端部はカード挿入方向に傾斜を有して形成し、先端部に切欠を設けて二段に当接部４ｅと４ｆを設け、好ましくは、これら当接部４ｅと４ｆの先端部は図６に示すように、それぞれ孤状凹凸面４ｇで形成し、それぞれの凹凸が相互に互い違いになるように形成してある。
【０００９】
以上の各部材からなる本発明のカードホルダー１の製作に際しては、カード挟着片４の取付部４ａを、その小突起４ｂ外覆片３に設けた小凹部内に挿入した状態で、外覆片３における外覆表面部３ｂの裏面に設けた挟着片位置決め用の小突片３ｅ，３ｆ間に固着してある。そして、図７に示すように、外覆片３を傾斜させて、まず、その内側寄り基片係合部３ｄを、基片２の外覆係合部２ｅに係合させ、外覆片３を若干回転させて、外側寄り基片係合部３ｄを基片２の外覆片係合部２ｃに係合して基片２の基部２ａと外覆片３の外覆表面部３ｂが略平行になり、カード挟着片の挟着突起４ｅ，４ｆ部分が基片２部分に当接し、外覆先端部３ｃと基片２の先端部間の空隙部がカード類挿入口１ａとなるように形成してあり、カード類Ａを挿入口から挿入し、カード挟着片４と基片２で挟着することによって係止するようになっている。そして、基片２の裏面には両面接着テープ（図示せず）を固着して、什器類に取付けやすいように形成してある。
【００１０】
図８、図９は第２形態例を示すものである。基片７は硬質合成樹脂製で断面略倒Ｌ字状に形成してあり、断面直線状の基部７ａの一端部を直角に折曲して厚み部７ｂを形成し、さらに、先端を直角に折り返して断面Ｌ字状となし、この先端部の下部に間隔を有して対向的にＬ字状突片を突設して前記先端部との間を断面コ字状の外覆片係合部７ｃとなしてある。また、基部７ａの内側面は軟質合成樹脂あるいはゴム等の弾性部７ｄに形成してある。
【００１１】
外覆片８は硬質の合成樹脂製で断面略倒Ｊ字状に形成してあり、一端部を直角に折曲し、この折曲片の両端部付近からそれぞれ外側方向に向く鉤状の基片係合部８ａを突設してある。この基片係合部８ａに隣り合わせて挟着片位置決め用の小突起８ｂと、他端部寄りには断面Ｌ字状の挟着片位置決め用の小突起８ｃがそれぞれ内側方向に向け突設されている。
【００１２】
カード挟着片９はクロロプレンゴムあるいはシリコンゴム等の弾性材料からなり、予め所要長さに形成し、一定間隔を挟み基片７と外覆片８がなす空間部内に取付けるものであり、上部に平板状の取付部９ａを形成し、取付部９ａから内側方向に傾斜して足片９ｂを突設し、足片９ｂの先端部に外側方向へ台形状に膨出して挟着部９ｃを形成し、挟着部９ｃにおける基片との当接端部９ｄは鋸歯状に形成してある。
【００１３】
【発明の効果】
以上、この発明のカードホルダーは基片と外覆片を係合して、その内部空間にカード挟着片を取付けたという簡潔な構成で堅牢であり、かつ、基片と外覆片とを、カード挟着片を取付けた後で係合して形成するため、製作が簡単である。そして、カード挟着片は、足片の屈曲性によって、種々の厚みに対応できる汎用性を有しその端部のカード挿入方向面を傾斜面で形成してあるために、カード挿入時にスムースであり、又、先端カード当接部が二段に形成され、かつ、各段が相互に互い違いの孤状凹凸面で形成されているために、カードの挟着は確実であり、又、引き抜きの際もスムースである。又、基片の上面を他より軟質に形成してあるため、より強固なカード挟着が期待できる。
【図面の簡単な説明】
【図１】第１形態例の使用状態をも示す断面図である。
【図２】第１形態例における基片の断面図である。
【図３】第１形態例における外覆片の断面図である。
【図４】第１形態例におけるカード挟着片の断面図である。
【図５】第１形態例におけるカード挟片の斜視図である。
【図６】第１形態例におけるカード挟着片の部分斜視図である。
【図７】第１形態例の組み立て状態を示す断面図である。
【図８】第２形態例の断面図である。
【図９】第２形態例におけるカード挟着片の斜視図である。
【図１０】従来例を示す断面図である。
【図１１】従来例を示す斜視図である。
【符号の説明】
１ 第１形態例のカードホルダー
２ 基片
３ 外覆片
４ カード挟着片
７ 基片
８ 外覆片
９ カード挟着片
Ａ カード類
【図１】
0003775222.tif 000002
【図２】
0003775222.tif 000003
【図３】
0003775222.tif 000004
【図４】
0003775222.tif 000005
【図５】
0003775222.tif 000006
【図６】
0003775222.tif 000007
【図７】
0003775222.tif 000008
【図８】
0003775222.tif 000009
【図９】
0003775222.tif 000010
【図１０】
0003775222.tif 000011
【図１１】
0003775222.tif 000012